(57)【要約】【課題】ボックスに設置したプリント板の交換作業性を向上させ、保守作業性に優れたエレベータ用かご内操作盤を提供する。【解決手段】乗りかごの操作やエレベータ外部との連絡を行う操作ボタン群と、操作ボタン群が取り付けられ操作盤の意匠面となる表面パネルと、エレベータの制御盤と通信の授受を行うプリント板と、操作ボタン群とプリント板を接続するボタンハーネスと、表面パネルに覆われる開口部を有し、操作ボタン群、プリント板及びボタンハーネスを収納するボックスとを備え、乗りかご内に設置されるエレベータ用かご内操作盤において、プリント板は、スライド用プレートに取り付けられ、ボックスには、スライド用プレートのストッパ機能を兼ねるガイドが設けられ、スライド用プレートをガイドに沿ってスライドさせることでプリント板を配置し取り付けた。【選択図】図１
2011184185.tif 000002
【特許請求の範囲】
【請求項１】
乗りかごの操作やエレベータ外部との連絡を行う操作ボタン群と、前記操作ボタン群が取り付けられ操作盤の意匠面となる表面パネルと、エレベータの制御盤と通信の授受を行うプリント板と、前記操作ボタン群と前記プリント板を接続するボタンハーネスと、前記表面パネルに覆われる開口部を有し、前記操作ボタン群、前記プリント板及び前記ボタンハーネスを収納するボックスとを備え、乗りかご内に設置されるエレベータ用かご内操作盤において、
前記プリント板は、スライド用プレートに取り付けられ、前記ボックスには、前記スライド用プレートのストッパ機能を兼ねるガイドが設けられ、前記スライド用プレートを前記ガイドに沿ってスライドさせることで前記プリント板を配置し取り付けたことを特徴とするエレベータ用かご内操作盤。
【請求項２】
請求項１記載のエレベータ用かご内操作盤において、前記ボタンハーネスが接続されるプリント板の上部、及び、前記スライド用プレートを前記ボックスに締結固定する箇所は、前記開口部の下端付近に位置することを特徴とするエレベータ用かご内操作盤。
【請求項３】
請求項１又は２記載のエレベータ用かご内操作盤において、前記スライド用プレートは、前記ガイドに沿ってスライドさせる際に、プリント板とガイドとが接触しない程度に大きく形成されていることを特徴とするエレベータ用かご内操作盤。
【請求項４】
請求項１乃至３のいずれか１項記載のエレベータ用かご内操作盤において、前記スライド用プレートの上部に取っ手部を設けたことを特徴とするエレベータ用かご内操作盤。
【請求項５】
請求項２記載のエレベータ用かご内操作盤において、前記スライド用プレートの締結部として、前記スライド用プレートに固定用ネジを挿通させ、ダブルナットにて前記固定用ネジの落下防止機構を構成したことを特徴とするエレベータ用かご内操作盤。
【請求項６】
昇降路内を昇降移動する乗りかごを有し、該乗りかご内に、乗りかごの操作やエレベータ外部との連絡を行うかご内操作盤が設けられたエレベータにおいて、
前記かご内操作盤は、請求項１乃至５のいずれか１項記載のかご内操作盤であることを特徴とするエレベータ。
【発明の詳細な説明】
【技術分野】
【０００１】
本発明は、エレベータの乗りかご内に設置され、乗りかごの操作を行うかご内操作盤に係り、特に車いす利用者や背の低い利用者への操作性を配慮した横型操作盤に関する。
【背景技術】
【０００２】
エレベータの乗りかごには、エレベータの行先階登録や出入り口戸を開閉させる操作ボタンや非常時に外部と連絡を取るための連絡装置を内蔵しているかご内操作盤が設置されている。
【０００３】
図６は、かご内操作盤が設置された乗りかご内の構成を示す正面図である。図６に示すように、乗りかごの出入り口戸６１側の側板である前側板６２には縦型操作盤６４が設置され、乗りかごの側面側板６３には横型操作盤６５が設置されている。横型操作盤６５は、縦型操作盤６４に附随し、操作ボタンを低位置で横方向に配列させることで車いす利用者や背の低い利用者への操作性を高めている。また、かご内操作盤の構造として、エレベータ昇降路の省スペース化の観点から薄型化が求められている。
【０００４】
図７は、側面側板６３に配設される従来の横型操作盤６５の内部構成を示す断面図である。図７に示すように、横型操作盤６５は、ボックス８０内に、エレベータの行先階登録や出入り口戸を開閉させる操作ボタン６０と、非常時に外部と連絡を取るための連絡装置７０と、エレベータの制御盤と通信の授受を行うプリント板１００と、操作ボタン６０及び連絡装置７０とプリント板１００とを接続するボタンハーネス９０と、制御盤とプリント板１００とを接続する制御盤ハーネス２２０とを収容する。
【０００５】
具体的には、プリント板１００は、操作ボタン群６０，７０と重ならないように操作ボタン６０や連絡装置７０の下方、かつ、側面側板６３の裏側へ配置され、横型操作盤６５の薄型化を図っている。また、レール１６０、ストッパ１７０、保持体１８０、回転用ガイド１９０、回転プレート２００及び連結棒２１０でスライド機構を構成し、プリント板１００と操作ボタン群６０，７０の接続作業性を向上させている（例えば、特許文献１参照）。
【先行技術文献】
【特許文献】
【０００６】
【特許文献１】特開２００９−１１３９３８号公報
【発明の概要】
【発明が解決しようとする課題】
【０００７】
しかしながら、従来のエレベータ用かご内操作盤６５は、操作盤の奥行き寸法の低減を図りつつ、操作ボタン配列の自由度向上及び操作ボタン６０の交換作業性の向上を図っているが、制御盤と通信の授受を行うプリント板１００の交換作業においては、上記のスライド機構を解体しなければならない。そして、スライド機構を解体するためにはボックス８０を側面側板６３から取り外さなければならないため、プリント板１００の交換が困難であった。
【０００８】
本発明の目的は、上記課題を解決すべく、操作盤の奥行き寸法及びプリント板と操作ボタンの接続作業性を維持し、かつ、プリント板の交換作業性に優れたエレベータ用かご内操作盤を提供することにある。
【課題を解決するための手段】
【０００９】
上記目的を達成すべく本発明に係るエレベータ用かご内操作盤は、乗りかごの操作やエレベータ外部との連絡を行う操作ボタン群と、前記操作ボタン群が取り付けられ操作盤の意匠面となる表面パネルと、エレベータの制御盤と通信の授受を行うプリント板と、前記操作ボタン群と前記プリント板を接続するボタンハーネスと、前記表面パネルに覆われる開口部を有し、前記操作ボタン群、前記プリント板及び前記ボタンハーネスを収納するボックスとを備え、乗りかご内に設置されるエレベータ用かご内操作盤において、前記プリント板は、スライド用プレートに取り付けられ、前記ボックスには、前記スライド用プレートのストッパ機能を兼ねるガイドが設けられ、前記スライド用プレートを前記ガイドに沿ってスライドさせることで前記プリント板を配置し取り付けたことを特徴とするものである。
【００１０】
また、本発明のエレベータは、昇降路内を昇降移動する乗りかごを有し、該乗りかご内に、乗りかごの操作やエレベータ外部との連絡を行うかご内操作盤が設けられたエレベータにおいて、上記のかご内操作盤を備えたことを特徴とするものである。
【発明の効果】
【００１１】
本発明によれば、かご内操作盤の奥行き寸法及びプリント板と押ボタンの接続作業性を維持し、かつ、プリント板の交換作業性を向上させることにより、保守作業性の優れたエレベータ用かご内操作盤を実現することができる。
【図面の簡単な説明】
【００１２】
【図１】本発明に係るエレベータ用かご内操作盤の第一の実施形態を示す正面図である。
【図２】図１のエレベータ用かご内操作盤の縦断面図である。
【図３】図２のエレベータ用かご内操作盤において、プリント板を取り外した状態を示す縦断面図である。
【図４】本発明のエレベータ用かご内操作盤の第二の実施形態を示す要部断面図である。
【図５】図１のかご内操作盤が設けられるエレベータの全体構成を示す概略図である。
【図６】乗りかご内部の構成を示す正面図である。
【図７】従来のエレベータ用かご内操作盤を示す縦断面図である。
【発明を実施するための形態】
【００１３】
以下、本発明の好適な実施形態を添付図面に基づいて説明する。
【００１４】
まず、第一の実施形態のエレベータ用かご内操作盤（以下、単に「操作盤」と称する）が設けられるエレベータについて説明する。図５は、エレベータの構成を示す概略図である。図５に示すように、エレベータは、昇降路２１内を昇降移動する乗りかご２２とつり合いおもり２３とを備える。乗りかご２２とつり合いおもり２３は、機械室（図示せず）或いは昇降路２１内に配置されたシーブ（巻上機）２４及びプーリ２５と主ロープ２６によりつるべ式に懸垂され、シーブ２４が発生させるトルクを主ロープ２６に摩擦伝達させることにより昇降する。
【００１５】
乗りかご２２内には、乗りかごの行先階登録、出入り口戸２７の開閉、非常時に外部と連絡とをるための操作盤が設けられている。乗りかご２２内に設けられる操作盤の設置位置等の説明は、図６と同様であるためその説明を省略するが、本実施形態の操作盤は、側面側板６３に設置される横型操作盤として適用される。
【００１６】
図１は、第一の実施形態のエレベータ用かご内操作盤を示す正面図、図２は図１のかご内操作盤の縦断面図である。図３は、図２においてプリント板１０を取り外した状態を示す断面図である。
【００１７】
図１乃至図３に示すように、乗りかご２２の側面側板６３に設置される操作盤１は、乗りかご２２の操作やエレベータ外部との連絡を行う操作ボタン群５と、操作ボタン群５が取り付けられ、操作盤１の意匠面となる表面パネル９と、乗りかご２２外部のエレベータの制御盤（図示せず）と通信の授受を行うプリント板１０と、操作ボタン群５とプリント板１０を接続するボタンハーネス１２と、プリント基板１０と制御盤と接続する制御盤ハーネス１４と、プリント板１０が取り付けられたスライド用プレート１１と、表面パネル９に覆われる開口部を有し、上記の操作ボタン群５、プリント基板１０等の機器及びボタンハーネス１２、制御盤ハーネス１４等の配線を収納するボックス１３とを備える。
【００１８】
本実施形態では、操作ボタン群５として、乗りかご２２の行先階を登録する階床ボタン６と、出入口戸５１を開閉させる開閉ボタン７と、非常時に外部と連絡をとるための連絡装置８とが配置されている。なお、ボタンの種類は、押しボタンやエレクトロボタン等いずれのものでもよい。
【００１９】
ボックス１３の上半分側には、操作ボタン群５及びボタンハーネス１２が収容され、上半分側の開口部は、操作ボタン群５が取り付けられた表面パネル９が覆う。ボックス１３の下半分側には、スライド用プレート１１を案内及び支持するためのガイド１３ａが設けられる。プリント板１０等を収容したボックス１３の下半分側は、乗りかご２２に取り付けた際、側面側板６３の裏側に位置する。
【００２０】
プリント板１０の上部にはボタンハーネス１２と接続するための上部コネクタ１０ａが設けられ、プリント板１０の下部には、制御盤ハーネス１４と接続するための下部コネクタ１０ｂが設けられる。
【００２１】
ガイド１３ａは、スライド用プレート１１を下方へ案内し、最下端でスライド用プレート１１を支持するストッパ機能を有する。ガイド１３ａの上方には、スライド用プレート１１をボックス１３に固定ネジ１５で締結固定するためのスペーサ１３ｂが設けられている。スペーサ１３ｂは、表示パネル９を取り外してなる開口部１７から締結作業がしやすいように、その開口部１７の下端付近に配置される。
【００２２】
スライド用プレート１１は、ガイド１３に沿ってスライドさせる際に、プリント板１０とガイド１３ａとが接触しないように、プリント板１０よりも大きく形成されている。スライド用プレート１１のサイズをプリント板１０より大きくすることで、プリント板１０とガイド１３ａとの接触を回避し、プリント板１０に形成された回路の地絡等を防止することができる。
【００２３】
スライド用プレート１１の上端及び下端は、折り曲げ加工が施され、その折り曲げ部は、作業者がスライド用プレート１１をスライドさせる際に持つための取っ手部１８として機能する。その取っ手部１８が設けられたスライド用プレート１１の上端は、表示パネル９を取り外してなる開口部１７の下端付近に位置する。
【００２４】
乗りかご２２の側面側板５３に設置されたボックス１３において、プリント板を固定する固定作業について説明する。
【００２５】
まず、ボックス１３の外で、プリント板１０をスライド用プレート１１に固定し、プリント板１０の下部に実装されている下部コネクタ１０ｂと制御盤ハーネス１４を接続する。接続後、ボックス１３内のガイド１３ａに沿ってスライド用プレート１１を下方へスライドさせる。スライド用プレート１１は、ガイドの最下端（ストッパ）で停止し、その停止位置がプリント板１０の固定位置となる。プリント板１０の位置決め後、スペーサ１３ｂにスライド用プレート１１を固定ネジ１５でネジ止めしプリント板１０の固定が完了となる。操作ボタン群５とプリント板１０との接続は、上部コネクタ１０ａが目視できる位置にあるため、夫々所定のコネクタ１０ａに接続することで完了となる。
【００２６】
プリント板１０をボックス１３から取り外す作業は、前述した固定作業の逆手順で行えばよく、作業者の手元でプリント板１０の交換作業が可能となる。
【００２７】
本実施形態の操作盤によれば、プリント板１０をスライド用プレート１１に取り付け、スライド用プレート１１をガイド１３ａに沿ってスライドさせてプリント板１０を位置決めすることで、プリント板１０をボックス１３内に取り付けた構成であるので、ボックス１３を側面側板６３から取り外すことなく容易にプリント板１０の交換作業を行うことができる。
【００２８】
すなわち、本操作盤１は、従来の操作盤６５のように操作盤の奥行き寸法の薄型化及びプリント板１０と操作ボタン群５の接続作業性の向上に加え、プリント板１０自体の交換作業性を向上させることができ、メンテナンスの更なる容易化を図ることができる。
【００２９】
また、本実施形態では、プリント板１０とスライド用プレート１１の締結箇所の位置を、操作ボタン群５との接続作業を考慮してプリント板１０に実装している上部コネクタ１０ａの上部が僅かに見える位置（開口部１７の下端付近）とし、スライド用プレート１１とスペーサ１３ｂの締結箇所を側面側板６３の開口部１７から見える位置としているため、作業性の更なる向上を図っている。
［第二の実施形態］
図４は、本実施形態の操作盤を示す断面図である。図４に示すように、本実施形態の操作盤２は、基本的には図１〜図３の操作盤と同様の構成及び作用効果を有する。ただし、本操作盤２は、図２のスペーサ１３ａの代わりに、スライド用プレート１１の固定用穴に固定ネジ１５を挿通させ、ダブルナット１５ａにて一定の距離を保持し、スライド用プレート１１を固定する構造を有する。この一定の距離とは、スライド用プレート１１をボックス１３に固定した際にスライド用プレート１１がボックス１３と平行となるための高さである。
【００３０】
本実施形態では、プリント板１０を取り外す際にダブルナット１５ａにより固定用ネジ１５がスライド用プレート１１から離れることがないため、固定用ネジ１５の落下を防止することができる。これにより、例えば最上階などの高階床においてもプリント板１０の交換作業が安心して実施でき、更なる作業性の向上が図れる。
【符号の説明】
【００３１】
１：エレベータ用かご内操作盤
５：操作ボタン群
６：階床ボタン
７：開閉ボタン
８：連絡装置
９：表面パネル
１０：プリント板
１１：スライド用プレート
１２：ボタンハーネス
１３：ボックス
１３ａ：ガイド
１５ａ：ダブルナット
【図１】
2011184185.tif 000003
【図２】
2011184185.tif 000004
【図３】
2011184185.tif 000005
【図４】
2011184185.tif 000006
【図５】
2011184185.tif 000007
【図６】
2011184185.tif 000008
【図７】
2011184185.tif 000009